(57)【要約】      （修正有）【課題】タンスの引き出し等の収納箱において仕切り部材を用いることで、衣類を立てて収納することが可能になり、無駄が生じにくく、荷崩れも防止することが出来る仕切り具を提供する。【解決手段】タンスの引き出しや収納箱１の底板上にその長辺２とボード３の長辺を平行となるよう設置し、ボード３に対をなす穴６が空いていて、その穴に対してＹ方向に挿入することが出来る掛かり止め辺１４を有した仕切り板４、７を、対をなす穴６に差し込み係合させる。【選択図】図１
2018051273.tif 000002
【特許請求の範囲】
【請求項１】
一対をなす穴が所定の間隔で複数対設けられているボードと前記ボードの穴部に係合する掛かり止め辺を有する底板と、この底板から起立する仕切り部とからなる仕切り板とからなり、前記の掛かり止め辺と対をなす穴部を結ぶ仮想線にそって穴部に差し込み、係合させることを特徴とする仕切り具
【請求項２】
前記ボードに隣り合う別のボードと、連結手段を設けたことを特徴する請求項１の仕切り具。
【請求項３】
請求項１のボードの一端を起立させ、仕切り板となる部分を備えた事を特徴とする仕切り具。
【発明の詳細な説明】
【技術分野】
【０００１】タンスの引き出し等の収納箱に、衣類を立てて収納することが可能になり、荷崩れや、一部の衣類を抜き取った際に乱雑な状態になることを防止する仕切り具に関する。
【背景技術】
【０００２】衣類をタンスの引き出しや収納箱に見えやすく収納する方法として、衣類を立てて収納する事を、近年推奨されている。
しかし、衣類は書籍のように自立することが出来ない。その為、敷き詰められて整頓された状態から、一部の衣類を抜き取ると荷崩れが生じて、乱雑な状態になってしまう。
【先行技術文献】
【特許文献】
【０００３】キッチンや、キャビネットの引き出しに収納した物を破損しない様に仕切る構造が種々提案され、製品化されている。特許文献１などがあるが、衣類を収納する、引き出しや、収納箱を仕切る構造については同様な発明は少なく、便利性に劣るものがあった。
【特許文献１】特開平１１−２０８７６２公報
【発明の概要】
【発明が解決しようとする課題】
【０００４】本発明は、従来の仕切りのないタンスの引き出しや、収納箱に、本発明を使用することで、衣類を立てて収納した状態を維持させる事を目的とするものである。
【課題を解決するための手段】
【０００５】一対をなす穴が所定の間隔で複数対設けられているボード。前記ボードの穴部に係合する掛かり止め辺を有する底板と、この底板から起立する仕切り部とからなる仕切り板とからなり、前記の掛かり止め辺と対をなす穴部を結ぶ仮想線にそって穴部に差し込み、２枚の仕切り板を係合させ、空間をつくる。その空間に衣類を立てて収納すると、状態を保つことができる。
【発明の効果】
【０００６】衣類は書籍の様に、自立した状態を維持することは出来ない。
現在使用中の引き出し、又は収納箱に、この仕切り具を用いることで、衣類を立てた状態で収納することが可能になる。更に敷きつめられた状態から一部の衣類を抜き取っても崩れることが無く、収納空間の無駄が減らせ、見やすい状態を保つことが可能になった。【０００７】更に間隔の調整が可能な為、セーターの様に幅を必要とする衣類を押さえて収納でき、収納する衣類の数を増やすことも可能になる。
【図面の簡単な説明】
【０００８】
【図１】本発明の実施の一形態に係る引き出しや収納箱に本発明を用いた実施例の斜視図である。この収納箱はタンスの引き出しや衣類の収納箱である。
【図２】一対をなす穴が所定の間隔で複数対設けられているボードの斜視図である。
【図３】図２のボードの穴部に係合する掛かり止め辺を有する底板と、この底板から起立する仕切り部とからなる仕切り板の斜視図である。
【図４】ボードに仕切り板を係合した穴部の下視図である。
【図５】連結手段を設けたボードの斜視図である。
【図６】図５のボード同士を連結させた斜視図である。
【図７】一端を起立させ仕切り部を設けて、Ｌ字にしたボードの斜視図である。
【発明を実施するための形態】
【０００９】以下、本発明の実施を図１〜図７に基づいて説明する。
【実施例１】
【００１０】図１は本発明の実施の一形態に係るタンスの引き出しや収納箱に本発明を用いた実施例の斜視図である。
図１は、引き出しや、収納箱１の長辺２と図２のボード３の長辺を平行に設置した様である。
ボード３は使用する収納箱の底面よりも小さいこと。【００１１】図２のボード３の一対の穴部に、図３の仕切り板４の掛かり止め辺１４をＹの向きで差し込む。
仕切り板は使用する収納箱の高さより低く、幅は狭いこと。【００１２】図４は前記にて仕切り板４と掛かり止め辺１４を係合した穴部を下から見た図である。ボード３の対をなす穴部６に、仕切り板４の掛かり止め辺１４をＹの向きに差し込み、仕切り板４を係合させる。【００１３】上記同様に仕切り板７をボード３に係合させることで、衣類８を収納する空間が形成される。【００１４】空間に衣類８を収納すると、仕切り板４と７に衣類からの圧力がＸの方向に加わるが、仕切り板を挿入する向きＹに対して垂直に圧力が加わる為、仕切り板４・７は外れることなく衣類を立てた状態を維持することが出来る。これにより、衣類の一部を抜きとっても崩れること無く、整頓された状態を保つことが可能になった。【００１５】収納すべき衣類に応じた所望とする空間を形成する為に、ボード３に対をなす穴部６を複数対設けることで、仕切り板４を係合する間隔を変えることが可能になる。セーターの様に幅のとる衣類は押さえつけて収納できる為、収納出来る衣類の数を増やすことも可能になった。【００１６】収納箱１には収納箱本体に収納すべき衣類８に応じた所望とする仕切り空間を形成する為に、仕切り板は必要な数だけ用いられればよく、実施例１では少なくとも仕切り板４・７の２枚と、１枚のボード３が、仕切り部材を構成する最小限の構成として、収納箱１に衣類８を収納する空間を形成する。【００１７】又、複数対の穴部に仕切り板を係合しなければ、これまで通り平積み型の収納も可能な為、引き出しの収納空間を無駄なく活用できる。
【実施例２】
【００１８】図５は実施例１のボードの隣り合う別のボードを連結させる手段を設けた図である。【００１９】ボードの一端には掛かり止め辺２１と、向かい会う別のボードの一端には一対の穴部２２を設け、図６のＺの向きに差し込み連結させる。【００２０】一枚のボードの一端に掛かり止め辺２１、逆側の一端に一対の穴２２を設けることで、連続して連結することが可能になる。【００２１】ボードを連結させることにより、仕切り板を必要な数だけ用いれば収納空間を連続して作ることが出来る。
【実施例３】
【００２２】図７はボードの一端を起立させ、仕切り板の一片２４を備え、底部にはボード３同様に、仕切り辺を差し込む対の穴部６が複数対設けられている。【００２３】実施例１同様に穴部６に図３の仕切り板４を差し込み、空間を設ける。【００２４】以上のような、ボート３と仕切り板４・７・２４を仕切り部材としてタンスの引き出し等の収納箱本体１に用いることで、衣類８を立てて収納できる空間を実現することが出来る。
【符号の説明】
【００２５】１  タンスの引き出しや収納箱
２  タンスの引き出しや収納箱の長辺
３  ボード
４・７  仕切り板
６  対をなす穴部
８  衣類
１４  掛かり止め辺
２１  ボード同士を係合する掛かり止め辺
２２  ボード同士を係合する穴部
２４  一端を起立させたボード
Ｙ  仕切り板を係合する向き
Ｘ  衣類からの圧力
Ｚ  ボード同士を係合する向き
【図１】
2018051273.tif 000003
【図２】
2018051273.tif 000004
【図３】
2018051273.tif 000005
【図４】
2018051273.tif 000006
【図５】
2018051273.tif 000007
【図６】
2018051273.tif 000008
【図７】
2018051273.tif 000009